(57)【要約】【課題】上方付勢状態で押し下げ可能にステム２を起立したポンプに装着する押下ヘッドであって、液噴出後の液切れが良く、ヘッド内での液詰まり、固化等の虞がなく、また、押し下げが硬くなることなく容易に押し下げて噴出することができ、ポンプの形態等に左右されずに使用でき、しかも部材数を少なく構成できる押下ヘッドを提案する。【解決手段】先端に噴出口10を開口した弁室Ｒを備えた本体７と、上記弁室内に噴出口10を閉塞して前方付勢状態で装着された弁部材８とを備え、また、本体７上に上下揺動可能に枢着した押圧板25と、該押圧板より垂設して弁部材８の後端部に連繋させるとともに、押圧板の押し下げ時に弁部材８をその前方付勢力に抗して後方へ押圧移行させる押圧作用部26とを有する開閉レバー９を設けた。【選択図】図１
2005103424.tif 000002
【特許請求の範囲】
【請求項１】
上方付勢状態で押し下げ可能にステム２を起立したポンプに装着する押下ヘッドであって、先端に噴出口10を開口した弁室Ｒを備えた本体７と、上記弁室Ｒ内周に外周を摺動可能に嵌合させるとともに、前方付勢状態で噴出口10を閉塞し、且つ、ステム２内と連通する連絡口14より噴出口10に至る流路ｐを画成してなる弁部材８と、該弁部材を作動させて上記噴出口10を開閉する開閉レバー９とを備え、上記開閉レバー９は、上記本体７上に上下揺動可能に枢着した押圧板25と、該押圧板より垂設して上記弁部材８の後端部に連繋させるとともに、上記押圧板25の押し下げ時に上記弁部材８をその前方付勢力に抗して後方へ押圧移行させる押圧作用部26とからなることを特徴とする押下ヘッド。
【請求項２】
上記押圧作用部26が、上記押圧板25下面より垂設するとともに、上記押圧板25の押し下げ時に弁部材８後端部に作用面ｆを摺動して弁部材８を後方へ押圧移行させるカム状突起27である請求項１記載の押下ヘッド。
【請求項３】
上記押圧作用部26が、上記押圧板25下面より垂設するとともに、上記押圧板25の押し下げ時に後方へ回動して上記弁部材８後端部に設けた係止段部29を後方へ押圧する揺動板30である請求項１記載の押下ヘッド。
【請求項４】
上方付勢状態で押し下げ可能に起立したステム２の上端に押下ヘッド１を装着したポンプであって、上記押下ヘッド１は、先端に噴出口10を開口した弁室Ｒを備えた本体７と、上記弁室Ｒ内周に外周を摺動可能に嵌合させるとともに、前方付勢状態で噴出口10を閉塞し、且つ、ステム２内と連通する連絡口14より噴出口10に至る流路ｐを画成してなる弁部材８と、該弁部材を作動させて上記噴出口10を開閉する開閉レバー９とを備え、上記開閉レバー９は、上記本体７上に上下揺動可能に枢着した押圧板25と、該押圧板より垂設して上記弁部材８の後端部に連繋させるとともに、上記押圧板25の押し下げ時に上記弁部材８をその前方付勢力に抗して後方へ押圧移行させる押圧作用部26とからなり、上記噴出口10の開放後ステム２が押し下げられる如く構成してなることを特徴としたポンプ。
【発明の詳細な説明】
【技術分野】
【０００１】
本発明は押下ヘッド及び該ヘッドを装着したポンプに関する。
【背景技術】
【０００２】
ポンプの押下ヘッドとして、上方付勢状態で押し込み可能に突設したステムの上端に嵌着して使用するものが知られている。これらは押し込みにより装着した容器体内の液をステムを介して噴出口より噴出する如く構成したものであり、一般的な押下ヘッドでは、ステムに嵌着させる縦筒と、該縦筒上部に基端を開口して先端の噴出口に連通する横筒とを備えている。また、この様な単純構成のものを改良し、噴出口を閉塞するように弾性体で付勢させた弁部材を備え、押し下げ時に噴出口が開放状態となる如く構成したものも提案されている（例えば、特許文献１参照）。
【０００３】
この押下ヘッドは、ポンプのステムに嵌着して使用されるもので、下端を開口した有頂筒状のカバー内に於いて、ステムに嵌着した装着筒上端にステム内と連通する横筒を延設、横筒内にコイルスプリングにより前方付勢された弁部材を配置し、その先端を周壁前面に開口した噴出口に圧接して閉塞している。また、頂壁裏面より周壁と同心円状に垂設したスカート部の後部上部には、横筒後部より突出する弁部材後端部を挟持するかたちで舌片を弾性揺動可能に画成しており、舌片内面下部には突起を突設している。そして、ヘッドを押し下げた際に突起がポンプの後部周縁部上面に当接して舌片の上部が後方へ弾性的に傾斜変形され、それに伴って弁部材が後方へ移行し、噴出口が開口する如く構成している。
【０００４】
上記従来のヘッドは非使用時に噴出口を常時閉塞しているため、その内部の収納液が固化したりする不都合がないものであるが、液を噴出させる際のヘッドの押し下げが固くなり、押し下げ難くなる傾向がある。また、弁部材の操作を上記した如きヘッドに設けた舌片とポンプの一部とで構成しているため、ヘッド自体及び装着するポンプの形態に制限が著しく、汎用性に乏しいという問題点もある。
【０００５】
この様な点を考慮して本出願人は上記不都合を解消した優れた押下ヘッドを既に提案している（特許文献２参照）。
【０００６】
上記ポンプの押下ヘッドは、ステム上端部に嵌着させた装着筒を頂板下面より垂設するとともに、ステム内と連通する摺動筒を頂板上方へ立設した装着筒部材と、摺動筒外周に摺動下降可能に嵌合させたシリンダ上方に、先端に噴出口を開口した弁室を備えるとともに、装着筒部材に対して押し下げ可能に設けた本体と、弁室内周に後部外周を摺動可能に嵌合させるとともに、前方付勢状態で噴出口を閉塞し、且つ、シリンダ内と連通する連絡口より噴出口に至る流路を画成してなる弁部材と、弁部材後端部に上端を連結させるとともに、下端部を上記頂板上面に当接係止させ、且つ、装着筒部材に対する本体の押し下げ時に弁部材を後方へ引き出す如く揺動可能に枢着した梃部材を備え、ステムに対する本体の押し下げ抗力がステム自体の押し下げ抗力より小である如く構成した。
【特許文献１】特開平９−１５５２５４号公報
【特許文献２】特開２００２−３２６０４４号公報
【発明の開示】
【発明が解決しようとする課題】
【０００７】
上記特許文献２の発明の押下ヘッドは、液噴出後の液切れが良く、ヘッド内での液詰まり、固化等の虞がなく、しかも押し下げが固くなることなく容易に押し下げて噴出することができ、ポンプの形態等に左右されずに使用できるため汎用性にも優れ、多くの種類のポンプに適用できる等の種々の効果を発揮する優れたものである。本発明は、この様な従来効果を発揮できるとともに、より構造を簡単に、部材数を少なく構成できる押下ヘッドを提案するものである。また、この様な押下ヘッドを装着したポンプであって、弁部材の開閉を規則正しく、適正時に行えて更に円滑な液の注出を行えるポンプを提案するものである。
【課題を解決するための手段】
【０００８】
本請求項１の発明は、上記課題を解決するため、上方付勢状態で押し下げ可能にステム２を起立したポンプに装着する押下ヘッドであって、先端に噴出口10を開口した弁室Ｒを備えた本体７と、上記弁室Ｒ内周に外周を摺動可能に嵌合させるとともに、前方付勢状態で噴出口10を閉塞し、且つ、ステム２内と連通する連絡口14より噴出口10に至る流路ｐを画成してなる弁部材８と、該弁部材を作動させて上記噴出口10を開閉する開閉レバー９とを備え、上記開閉レバー９は、上記本体７上に上下揺動可能に枢着した押圧板25と、該押圧板より垂設して上記弁部材８の後端部に連繋させるとともに、上記押圧板25の押し下げ時に上記弁部材８をその前方付勢力に抗して後方へ押圧移行させる押圧作用部26とからなることを特徴とする押下ヘッドとして構成した。
【０００９】
本請求項２の発明は、上記押圧作用部26が、上記押圧板25下面より垂設するとともに、上記押圧板25の押し下げ時に弁部材８後端部に作用面ｆを摺動して弁部材８を後方へ押圧移行させるカム状突起27である請求項１記載の押下ヘッドとして構成した。
【００１０】
本請求項３の発明は、上記押圧作用部26が、上記押圧板25下面より垂設するとともに、上記押圧板25の押し下げ時に後方へ回動して上記弁部材８後端部に設けた係止段部29を後方へ押圧する揺動板30である請求項１記載の押下ヘッドとして構成した。
【００１１】
本請求項４の発明は、上方付勢状態で押し下げ可能に起立したステム２の上端に押下ヘッド１を装着したポンプであって、上記押下ヘッド１は、先端に噴出口10を開口した弁室Ｒを備えた本体７と、上記弁室Ｒ内周に外周を摺動可能に嵌合させるとともに、前方付勢状態で噴出口10を閉塞し、且つ、ステム２内と連通する連絡口14より噴出口10に至る流路ｐを画成してなる弁部材８と、該弁部材を作動させて上記噴出口10を開閉する開閉レバー９とを備え、上記開閉レバー９は、上記本体７上に上下揺動可能に枢着した押圧板25と、該押圧板より垂設して上記弁部材８の後端部に連繋させるとともに、上記押圧板25の押し下げ時に上記弁部材８をその前方付勢力に抗して後方へ押圧移行させる押圧作用部26とからなり、上記噴出口10の開放後ステム２が押し下げられる如く構成してなることを特徴としたポンプとして構成した。
【発明の効果】
【００１２】
本発明の押下ヘッド１は、先端に噴出口10を開口した弁室Ｒ内周に外周を摺動可能に嵌合させるとともに、前方付勢状態で噴出口10を閉塞し、且つ、ステム２内と連通する連絡口14より噴出口10に至る流路ｐを画成してなる弁部材８を備え、また、本体７上に上下揺動可能に枢着した押圧板25と、該押圧板より垂設して弁部材８の後端部に連繋させるとともに、押圧板25の押し下げ時に弁部材８をその前方付勢状態に抗して後方へ押圧移行させる押圧作用部26とからなる開閉レバー９を備えているため、押下ヘッド１内の液詰まり、固化等の虞がない。また、液噴出後の液切れが良く、しかも押し下げが固くなることなく容易に押し下げすることができ、ポンプの形態に左右されずに使用できるため汎用性にも優れ、多くの種類のポンプに適用できるものである。更に、構造が簡単で、極力部材数を減ずることができるものである。また、本発明のポンプは、弁部材８の開閉を規則正しく、適正時に行えて更に円滑な液の注出を行えるものである。
【発明を実施するための最良の形態】
【００１３】
本発明の押下ヘッド１は、上方付勢状態で押し下げ可能にステム２を起立したポンプＡに装着するものであり、該ポンプＡは上記ステム２の上端に押下ヘッド１を嵌着して上下動させ、装着した容器体内の液を噴出する如く構成したものであれば、その具体的構造は従来公知の種々の形態のものを採用できる。図示例では、容器体Ｂの口頸部３に螺着させた装着キャップ４により容器体Ｂ内にシリンダ５を垂下した状態で固定し、シリンダ５内を摺動するピストン（図示せず）を下端に連繋させたステム２の上端に押下ヘッド１を嵌着している。また、シリンダ５上端には外周に螺条を周設した補助キャップ６を嵌着している。その他図示しないが、シリンダ５内には吸込み弁を、ステム２内には吐出弁をそれぞれ設け、シリンダ５下端からは容器体Ｂ内下部に吸い上げ用のパイプを垂下させている。
【００１４】
押下ヘッド１は、本体７と、弁部材８と、開閉レバー９とを備えている。本体７は、先端に噴出口10を開口した弁室Ｒを備えている。図示例では、内部を上記弁室Ｒとして形成する横筒11を、その前部を前方へ突出して基板12上に横設するとともに、基板12の下面よりステム２の上端に密嵌させた嵌合筒13を垂設しており、この嵌合筒13の上端に弁室Ｒ内に連通する連絡口14を開口している。また、嵌合筒13外方に同心円状に螺筒15を垂設し、上記補助キャップ６に対して螺合可能に構成し、押下ヘッドの押し下げ状態での係止を可能に構成している。また、基板12周縁部からは周壁16を立設している。更に、横筒11の先端部には噴出口部材17を嵌着固定して噴出口10を開口している。この噴出口部材17は、横筒11内周先端部に後部を密嵌させた筒状をなし、先端部をテーパ状に縮径してその先端を上記噴出口10に形成している。また、内周面に周方向複数のリブ18を突設し弁部材８の安定した前後動を補助している。また、横筒11の後端部には中央部に窓孔19を開口した後壁20を有し、後壁20の前面より二重筒状にシリンダ筒21を突設している。
【００１５】
弁部材８は、上記弁室Ｒ内周に外周を摺動可能に嵌合させるとともに、前方付勢状態で噴出口10を閉塞し、且つ、ステム２内と連通する上記連絡口14より噴出口10に至る流路ｐを画成してなるものである。図示例では全体的に棒状をなし、後端部を縮径した小径部8aに形成するとともに、その前方の大径部8b外周後端部にはスカート状のシール部22を突設し、また、小径部8aの後端部に開閉レバー９の後述するカム状突起が摺動する被摺動面を形成する環状突条23を突設している。そして、上記シール部22を上記シリンダ筒21に摺動可能に嵌合させるとともに、該シール部22と上記後壁20との間に介在させたコイルスプリング24により前方に付勢させている。また、大径部8bの先端を噴出口部材17内面に密接させて噴出口10を閉塞し、後端を上記窓孔19より後方へ突出して弁室Ｒ内に前後動可能に装着している。このことにより、上記連絡口14から噴出口10に至る流路ｐを弁室Ｒ内に画成している。
【００１６】
開閉レバー９は、上記弁部材８を作動させて上記噴出口10を開閉するもので、この開閉レバー９は、上記本体７上に上下揺動可能に枢着した押圧板25を備え、また、該押圧板25より垂設して上記弁部材８の後端部に連繋させるとともに、上記押圧板25の押し下げ時に上記弁部材８を前方付勢力に抗して後方へ押圧移行させる押圧作用部26を備えている。この押圧作用部26は具体的には種々の形態を採用できるものである。
【００１７】
図１乃至図３に示す実施例では、上記押圧作用部26として、上記押圧板25下面より垂設するとともに、上記押圧板25の押し下げ時に弁部材８後端部に作用面ｆを摺動して弁部材８を後方へ押圧移行させるカム状突起27を採用した例である。上記押圧板25は、本体７上面の前部に前部を上下揺動可能に枢着しており、その下面後部所定位置より一対のカム状突起27を突設している。各カム状突起27は、後縁が上記作用面ｆとしての傾斜面をなす側面視三角板状をなし、その作用面ｆ下部を上記環状突条23前面に当接させている。従って、押圧板25はこの状態で本体７との間に押し下げが可能な回動用空間をあけて安定的に支持されている。このカム状突起27は上記傾斜作用面ｆを備えたものに限らず、上記要件を満たせば種々の形状をものを採用でき、例えば、図４に示す如く、作用面ｆが側面視円弧状をなす帯状弯曲面であっても良い。
【００１８】
また、この様な押下ヘッド１を備えた本発明ポンプＡは、上記噴出口10の開放後ステム２が押し下げられる如く構成している。この様に構成するためには、基本的にステム２の前方付勢力をステム２の上方付勢力より小さく構成すれば良く、その他、開閉レバー９の回転トルクやその押圧作用部26の摩擦力等の上記構成に関与する要因を考慮して適宜その付勢力を選択すれば良い。この様に構成することにより、液噴出に際して、まず弁部材８が移行して噴出口10が開口した後ステム２の押し下げを行える。尚、この様な構成は、図１の実施例に限らず、他の実施例に於いても採用できる。
【００１９】
また、図５及び図６に示す実施例は、押圧板25の後端部を上下揺動可能に枢着した開閉レバー９を備えた例を示す。本実施例では、本体７の後部に突設した一対の支持板28に押圧板25の後端部１を押し下げ可能に枢着しており、その他の構成は図１の実施例と同様である。
【００２０】
上記の如く構成した押下ヘッド１を装着したポンプＡの作用を説明する。図１の状態から開閉レバー９を押し下げると各カム状突起27が下降し、その作用面ｆが環状突条23の前面を摺動して後方へ押圧し、弁部材８をコイルスプリング24の前方付勢力に抗して後方へ移行させ、噴出口10が開口する。次いでステム２が押し下げられ、シリンダ５内部のポンプ機構により液がステム２内より連絡口14を介して流路ｐを通り、噴出口10より噴出される。押圧板25の押圧を解除すると上方付勢力でステム２が上昇すると同時にコイルスプリング24により弁部材８が前方へ移行して噴出口10を閉塞する。
【００２１】
図７及び図８は他の実施例を示すもので、更に異なる形態の開閉レバー９を設けた例を示す。ここに示される開閉レバー９は、上記押圧作用部26を、上記押圧板25下面より垂設するとともに、押圧板25の押し下げ時に後方へ回動して上記弁部材８の後端部に設けた係止段部29を後方へ押圧する揺動板30として構成している。図示例では、上記図１の実施例に於いて、周壁16上端縁より頂壁31を延設し、該頂壁31の中央部所定位置に開閉レバー９を装着するための装着凹部32を形成している。装着凹部32の前壁は前記横筒11の後壁20と兼用している。また、この装着凹部32内に於いて、上記弁部材８の後部上方に上下動可能に後部を枢着した押圧板25を設け、該押圧板25の枢着部分下面より二股状の揺動板30を垂設して、環状突条23前面の小径部8a両側に前後揺動可能に係合させている。この場合は押圧板25を押し込むことにより揺動板30が後方に回動し、係止段部29としての環状突条23前面を後方へ押圧し、コイルスプリングの前方付勢力に抗して弁部材８を後方へ移行させ、噴出口10を開口する。また、噴出口10を閉じる際は押圧板25の押圧を解除すれば同様に行える。
【図面の簡単な説明】
【００２２】
【図１】本発明の押下ヘッド及びポンプを示す縦断面図である。（実施例１）
【図２】同実施例の平面図である。（実施例１）
【図３】同実施例の開閉レバーを押し下げた状態の縦断面図である。（実施例１）
【図４】本発明のカム状突起の部分を示す要部拡大断面図である（実施例２）
【図５】本発明の押下ヘッド及びポンプを示す縦断面図である。（実施例３）
【図６】同実施例の平面図である。（実施例３）
【図７】本発明の押下ヘッド及びポンプを示す縦断面図である。（実施例４）
【図８】同実施例の平面図である。（実施例４）
【符号の説明】
【００２３】
１…押下ヘッド，２…ステム，７…本体，８…弁部材，９…開閉レバー，
10…噴出口，14…連絡口，25…押圧板，26…押圧作用部，27…カム状突起，
29…係止段部，30…揺動板，Ｒ…弁室，ｐ…流路，ｆ…作用面
【図１】
2005103424.tif 000003
【図２】
2005103424.tif 000004
【図３】
2005103424.tif 000005
【図４】
2005103424.tif 000006
【図５】
2005103424.tif 000007
【図６】
2005103424.tif 000008
【図７】
2005103424.tif 000009
【図８】
2005103424.tif 000010